(57)【要約】【課題】第１の基準部材と同じ高さに別の機器が存在しても差支えなく第２の基準部材を設置することができ、しかも第１の基準部材の取外しや再設置の作業が不要なエレベータの据付治具を提供する。【解決手段】下げ振り線２を昇降路１の所定位置に設ける第１の基準部材３と、この第１の基準部材によって設置された上記下げ振り線によって位置決めされ、かつ上記第１の基準部材に対して高さ方向に異なる任意の位置に設置し得る第２の基準部材４とを備えたものである。【選択図】図１
2008024387.tif 000002
【特許請求の範囲】
【請求項１】
下げ振り線を昇降路の所定位置に設ける第１の基準部材と、この第１の基準部材によって設置された上記下げ振り線によって位置決めされ、かつ上記第１の基準部材に対して高さ方向に異なる任意の位置に設置し得る第２の基準部材とを備えたことを特徴とするエレベータの据付治具。
【請求項２】
上記第１の基準部材は、上記昇降路の上端部近傍に固定され、上記下げ振り線は、乗場装置の位置決め用のピアノ線からなることを特徴とする請求項１に記載のエレベータの据付治具。
【請求項３】
上記第２の基準部材は、上記第１の基準部材の下方に設けられ、かごまたは釣合錘のガイドレールの基準として用いるものであることを特徴とする請求項２に記載のエレベータの据付治具。
【発明の詳細な説明】
【技術分野】
【０００１】
この発明は、エレベータの例えば乗場装置やガイドレールなどの設置位置の基準を出すための据付治具に関する。
【背景技術】
【０００２】
従来のエレベータの据付治具として、乗場敷居芯出し設定用の主定規材、カゴレール芯出し設定用の主定規材およびカウンター若しくは油圧ジャッキのガイドレールの芯出し設定用の主定規材をそれぞれ所定の位置に配設し、隣接する２つの定規材との間で四辺形とその対角線を構成する如く副定規材をこれに連結するものであって、各連結部は、上記主定規材と上記副定規材の嵌合孔を挿嵌し、下げ振り線を貫通懸垂する軸心孔を有する連結軸部材からなり、各定規材を一体に固定するようにしたエレベータの据付用上部型板装置がある（例えば特許文献１参照。）。
【０００３】
【特許文献１】特許第２６０６０５２号公報（第１頁、図１）
【発明の開示】
【発明が解決しようとする課題】
【０００４】
上記のような従来の据付治具は、乗場敷居芯出し設定用の主定規材（第１の基準部材）と、カゴレール芯出し設定用の主定規材（第２の基準部材）などの複数の基準部材が連結材で連結され、略同一面内に形成されたものであったため、第１の基準部材（型板）と同じ高さに例えば巻上機など別の機器が存在すると、そのまま第２の基準部材（型板）を設置することができないという問題があった。また、従来の構成で第２の基準部材を設置するためには第１の基準部材を一旦解体して、第２の基準部材と別の機器が干渉しない高さに第１の型板を再度設置する必要があり、取外し再設置の作業が発生し、また解体前と同一水平位置に第１の基準部材を設置することも困難であるという課題があった。
【０００５】
この発明はかかる従来技術の課題を解消するためになされたもので、第１の基準部材と同じ高さに別の機器が存在しても差支えなく第２の基準部材を設置することができ、しかも第１の基準部材の取外しや再設置の作業が不要なエレベータの据付治具を提供することを目的としている。
【課題を解決するための手段】
【０００６】
この発明に係るエレベータの据付治具は、下げ振り線を昇降路の所定位置に設ける第１の基準部材と、この第１の基準部材によって設置された上記下げ振り線によって位置決めされ、かつ上記第１の基準部材に対して高さ方向に異なる任意の位置に設置し得る第２の基準部材とを備えたものである。
【発明の効果】
【０００７】
この発明においては、第２の基準部材を、第１の基準部材によって設置された下げ振り線によって位置決めすると共に、上記第１の基準部材に対して高さ方向に異なる任意の位置に設置し得るようにしたことにより、第１の基準部材と同じ高さに別の機器が存在しても第２の基準部材を支障なく設置することができ、しかも第１の基準部材の取外しや再設置の作業が不要となる。
【発明を実施するための最良の形態】
【０００８】
実施の形態１．
図１〜図５はこの発明の実施の形態１によるエレベータの据付治具を説明するもので、図１は据付治具を昇降路に取り付けたときの全体構成を概略的に示す側面図、図２は図１に示された据付治具の設置部を拡大して示す斜視図、図３は図１の構成で他の機器との干渉が回避された様子を示す要部側面図、図４は図２に示された第２の基準部材の一部をさらに拡大して示す斜視図、図５は図４に示された第２の基準部材の位置決め部を拡大して示す斜視図である。なお、各図を通じて同一部分には同一符号を付している。
【０００９】
図において、エレベータの据付治具は、昇降路１上部の例えば壁や梁などの固定部に取付けられたピアノ線からなる下げ振り線２を昇降路１の所定位置に垂下する第１の基準部材３と、この第１の基準部材３の下方部に下げ振り線２を基準に位置決めされ、昇降路１に対して固定された第２の基準部材４からなる。上記第１の基準部材３は、この例では乗場ハンガーケース、乗場敷居、三方枠等の乗場装置（何れも図示省略）の基準位置設定用部材であり、一対の下げ振り線２と、昇降路１の壁面にアンカー（図示省略）によって強固に固定された一対の受台３１と、両端部で一対の下げ振り線２の上端部をそれぞれ保持し、受台３１上の所定部に下げ振り線２位置が所望の位置となるように精度良く固定された第１の型板３２から構成されている。
【００１０】
なお、下げ振り線２の下端部は鉛直が保持された状態で動かないように昇降路１の最下部で固定される。
上記第２の基準部材４は、この例ではかごガイドレール５の位置決め用部材であり、図２、図３に示すように例えば巻上機６などの他の機器と干渉しない第１の基準部材３の下方部に仮設されたサポート７上に保持されており、それぞれ切込み状の位置決め部４ａを有する一対の第２の型板４１、これら一対の第２の型板４１を所定間隔で固定する保持部材４２、この保持部材４２に対して連結材４３によって平行に固定された定規材４４からなっている。
【００１１】
そして、第２の型板４１の位置決め部４ａ上面には図５に示すように、位置決め部４ａの中心で互いに交差する複数の基準線４ｂが刻設または表示されており、第２の基準部材４を下げ振り線２に対して位置決めするときに、基準線４ｂの交点部に下げ振り線２の中心を合致させることで正確に位置決めすることができる。なお、左右の位置決め部４ａに下げ振り線２の中心を合致させたときに、定規材４４の外側端面から吊下された同様のピアノ線からなるレール用下げ振り線８がかごガイドレール５の位置決め基準を形成するように構成されている。
【００１２】
次に上記のように構成されたエレベータの据付治具の動作について説明する。先ず、第１の基準部材３を昇降路１の壁、梁などに取り付ける。取り付け時の位置決めは、この後のエレベータ機器の取り付け基準となるため精度よく、またエレベータ機器の取り付け中に位置がずれないように強固に取り付ける。取付箇所は制御盤や巻上機などのエレベータ機器、最上階の乗場装置類よりも上方が望ましく、ほとんどの場合、昇降路１の頂部付近となる。ピアノ線からなる下げ振り線２は第１の型板３２に設けられた所定の位置に取り付けられる。下げ振り線２は鉛直に垂下され、動かないように昇降路１の最下部で固定する。
【００１３】
次いで、図２に示すように昇降路１における第１の基準部材３の取付位置Ａよりも寸法Ｈ下側で巻上機６などの他の機器と干渉しない任意の高さＢの位置に２本のサポート７を水平に設置した後、第２の基準部材４をサポート７上に載置し、第１の基準部材３の下げ振り線２を基準にして、第２の基準部材４を正確に位置決めする。なお、位置決めに際しては第２の型板４１に設けられた２つの位置決め部４ａに左右の下げ振り線２をそれぞれ挿通し、基準線４ｂの中心位置と、２つの下げ振り線２の中心位置がそれぞれ合致するように第２の基準部材４を移動調節し、位置が確定したら図示省略している適宜の固定手段で第２の基準部材４をサポート７に固定し、第２の基準部材４にかごガイドレール５の基準となるレール用下げ振り線８を設置する。なお、下げ振り線２及びレール用下げ振り線８設置後の乗場装置やかごガイドレール５の据付方法は従来技術と同様であるので説明を省略する。
【００１４】
上記のように、実施の形態１によれば次のような効果が得られる。
（１）第２の基準部材４を第１の基準部材３とは高さ方向に異なる昇降路１の任意の高さ位置に設置できるため、昇降路１内の機器との干渉を容易に避けることができる。
（２）下げ振り線（ピアノ線）２の配置を気にせずに済むため、エレベータ機器配置の自由度を上げることができる。
（３）一度位置決めした第１の基準部材３を動かすことなく第２の基準部材４を設置できるため、基準部材の設置時間の短縮と、基準部材の位置ずれ、あるいは精度の悪化を防止できる。
（４）第一の基準部材３を作業途中で動かす必要がないため、機器の取付精度を向上させることができる。
【００１５】
なお、上記実施の形態１の説明では、第１の基準部材３を乗場ハンガーケースや乗場敷居等の乗場装置の基準位置設定に用い、第２の基準部材４をかごガイドレール５の位置決め基準に用いた場合について説明したが、必ずしもこれらに限定されるものではない。例えば、基準部材の対象を逆にすることもできる。また、実施の形態１の例において、第２の基準部材４に釣合錘用ガイドレール（図示省略）の基準用定規材を付加するなど第３の基準部材を設けても良い。さらに、第２の基準部材４の定規材４４は、第２の型板４１を位置決め固定した後、連結材４３によって結合するようにしても差し支えない。その他、第２の基準部材を複数設け、あるいは下げ振り線としてレーザ光線を用いるなど、この発明の精神の範囲内で種々の変更や追加ができることは言うまでもない。
【図面の簡単な説明】
【００１６】
【図１】この発明の実施の形態１によるエレベータの据付治具を昇降路に取り付けたときの全体構成を概略的に示す側面図。
【図２】図１に示された据付治具の設置部を拡大して示す斜視図。
【図３】図１の構成で他の機器との干渉が回避された様子を示す要部側面図。
【図４】図２に示された第２の基準部材の一部をさらに拡大して示す斜視図。
【図５】図４に示された第２の基準部材の位置決め部を拡大して示す斜視図。
【符号の説明】
【００１７】
１  昇降路、  ２  下げ振り線、  ３  第１の基準部材、  ３１  受台、  ３２  第１の型板、  ４  第２の基準部材、  ４ａ  位置決め部、  ４ｂ  基準線、  ４１  第２の型板、  ４２  保持部材、  ４３  連結材、  ４４  定規材、  ５  かごガイドレール、  ６  巻上機、  ７  サポート、  ８  レール用下げ振り線。
【図１】
2008024387.tif 000003
【図２】
2008024387.tif 000004
【図３】
2008024387.tif 000005
【図４】
2008024387.tif 000006
【図５】
2008024387.tif 000007